Podtech/llm-jp-corpus-v4-ja_patent huggingface dataset:
(57)【要約】      （修正有）【課題】煮物を調理する場合、材料から抽出される、味を阻害する灰汁を手軽に取り除くことが出来る灰汁吸着具を提供する。【解決手段】灰汁吸着具の底面に表面積を大きくするため、下面に投影表面積を大きくするための、無数の凹凸形状突起３を成形させ、灰汁膜溜まり部分に接触させるだけで、毛細管現象と表面張力の作用によって、灰汁膜を灰汁吸着具の底面に吸着させて除去する。【選択図】図１
0003160188.tif 000002
【実用新案登録請求の範囲】
【請求項１】
底面に、垂直方向の透過表面積を大きくするための、無数の先端球状で円錐形の凸凹した突起を形成した平面の灰汁吸着部分に、灰汁膜６および煮汁７の進入を防止するための、防止壁１を全周に設けた構造を特徴とする、灰汁吸着具。
【考案の詳細な説明】
【技術分野】
【０００１】  本考案は、煮物を調理する場合、煮汁７の表面に浮いてくる灰汁膜６を、物理的原理によって吸着させて除去する道具の構造に関する。
【背景技術】
【０００２】  煮物を調理する場合、沸騰すると煮汁７の上に灰汁が上面に浮いて灰汁膜６に成長するが、灰汁の混入は料理の味や舌触りに微妙に影響し、味の品質を低下させるもので、灰汁膜６の除去は調理にとって不可欠なものである。
【先行技術文献】
【特許文献】
【０００３】
【特許文献１】特開２００５−１６８６１７（Ｐ２００５−１６８６１７Ａ）
【０００４】
【特許文献２】特開２００２−２２３９６４
【考案の概要】
【考案が解決しようとする課題】
【０００５】  従来、煮物を調理する過程において、浮いてくる灰汁膜６を、底が球形のお玉杓子の底部に吸着させる方法（特開２００５−１６８６１７）や、網杓子で掬ったり、また、アルミホイルに皺をつけて煮汁７に浸して灰汁のみを吸着させる方法等で除去していたが、同時に煮汁７まで掬ってしまったり、わずらわしい動作を必要とし、灰汁膜６のみを簡単に除去することは困難であった。
【課題を解決するための手段】
【０００６】  底面に、垂直方向の投影表面積を大きくするための、無数の先端球状で円錐形の凸凹した突起を形成した平面の吸着部分に、灰汁および煮汁７の進入を防止するための、防止壁１を全周に設けた構造の灰汁吸着具底部を煮汁７の表面に浮いている灰汁膜６に、接触させると、灰汁膜６は吸着具の底に吸い寄せられるようにして底部に吸着される。【０００７】  その作用は、吸着具底面の凹凸形状の突起３によって、単位面積当たりの表面積が大きいので、その吸着力は毛細管現象と表面張力の作用によって、灰汁膜６と煮汁７に及ぼす吸着力よりも大きくなる原理を利用して、吸着具に吸着され分離することができる。
また、吸着具を強く押し当てると、煮汁７が吸着具の上に流れ込み、灰汁膜６を洗い流すときに、無駄な煮汁７を捨てることになるので、全周に設けた灰汁および煮汁７の進入を防止するための、防止壁  １によって防止している。
【考案の効果】
【０００８】  本考案の灰汁吸着具を実際の煮物料理の灰汁取りに使用した結果について下記で述べる。【０００９】  煮物を調理する過程において、沸騰してしばらくすると煮汁表面５に灰汁が抽出されたて中央または分散した箇所に灰汁膜６が発生する。【００１０】  その灰汁膜６溜まりの部分に、本考案の吸着具の底部を軽く押し当て、直ぐに引き上げると、吸着具の底部に灰汁膜６が毛細管現象と表面張力の作用によって灰汁膜６のみが吸着される。【００１１】  その状態は、吸着具の底部を灰汁膜６溜まりに接触させると、灰汁膜６は吸着具の方向へ引き寄せられる現象が観察することができ、灰汁膜６は底部の全面に吸着される。【００１２】  また、灰汁吸着具の底部に灰汁膜６が吸着した状態で引き上げるとき、灰汁吸着具の底部の面を水平に保っていれば、灰汁膜６は灰汁吸着具から剥がれ落ちることは無い。【００１３】  灰汁吸着具底部に吸着した灰汁膜６を取り除くときは、水を入れた別の容器の中で濯ぐか、または、水道蛇口で洗い流す程度で、灰汁膜６は灰汁吸着具から簡単に取り除くことができる。
【考案の効果】
【００１４】  煮汁７と灰汁膜６、灰汁吸着具底部と灰汁膜６の吸着力の差によって分離するため、煮汁７を無駄にすることなく、灰汁膜６のみを除去することができる。【００１５】  また、大きい鍋の場合は、灰汁膜６溜まりが分散するが、灰汁膜６溜まりの部分のみに灰汁吸着具底部を軽く押し当てるだけで、灰汁膜６が吸着するので簡単である。
【産業上の利用可能性】
【００１６】  外食産業での味品質の向上となる。【００１７】  家庭調理の味品質の向上となる。【００１８】  給食産業での味品質の向上となる。
【図面の簡単な説明】
【００１９】
【図１】本考案の底面斜視図である。
【図２】本考案の［図１］Ａ−Ａ‘断面図である。
【図３】本考案の説明図で灰汁の発生状況図である。
【図４】本考案の使用状況の図である。
【図５】本考案の灰汁膜６の吸着状況図である。
【符号の説明】
【００２０】１  は灰汁吸着板の縁で、灰汁および煮汁７の進入を防止するための防止壁である。
２  は灰汁吸着具の柄である。
３  は灰汁吸着具の突起である。
４  は鍋である
５  は煮汁表面である。
６  は灰汁膜である。
７  は煮汁である。
【図１】
0003160188.tif 000003
【図２】
0003160188.tif 000004
【図３】
0003160188.tif 000005
【図４】
0003160188.tif 000006
【図５】
0003160188.tif 000007
(57)【要約】      （修正有）【課題】デザイン的に優れ、色々な補助印を使用できる印鑑を提供する。【解決手段】円柱状の印鑑本体の外周に螺旋状の溝を形設すると共に、この溝に螺旋状の補助印を設けてなることを特徴とする。【選択図】図１
0003160186.tif 000002
【実用新案登録請求の範囲】
【請求項１】
円柱状の印鑑本体の外周に螺旋状の溝を形設すると共に、この溝に螺旋状の補助印を設けてなることを特徴とする印鑑。
【請求項２】
補助印は、回転させることにより上下動することを特徴とする請求項１記載の印鑑。
【請求項３】
補助印が、ヘビ形あるいは龍形であることを特徴とする請求項１又は２記載の印鑑。
【請求項４】
溝に、補助印を着脱自在に取り付けることを特徴とする請求項１、２又は３記載の印鑑。
【考案の詳細な説明】
【技術分野】
【０００１】  本考案は、デザイン性に優れ、印鑑本体と補助印の組み合わせにより色々な印を構成する印鑑に関するものである。
【背景技術】
【０００２】  従来の技術としては、複数の印字体が具えられ、それら印字体が印鑑本体に対しそれぞれ着脱自在とされ、かつ、互いに交換自在とされたことを特徴とする。また、複数の印字体の印字サイズを互いに異ならせることができる。また、印字体の印字を彫刻により形成することができる。また、印字体と印鑑本体を嵌め込式とし、その嵌合部における印字体と印鑑本体との間に軟質素材のアタッチメントを介在させることができる。また、印鑑本体の両端にそれぞれ印字体の着脱部を設けることができるがある。
【先行技術文献】
【特許文献】
【０００３】
【特許文献１】  特開２００４−１８８６８９号公報
【考案の概要】
【考案が解決しようとする課題】
【０００４】  上記従来技術は、印自体を印鑑本体にマグネットや嵌め込式であり、機能美に劣り、印以外のソフトも見られない。また、本考案のような印鑑本体の外周に螺旋状の補助印を設けるものではなく、デザイン的にも機能的にも異なるものである。【０００５】  本考案は、上記問題点を改善するもので、デザイン的にも優れ、特に補助印をヘビ形（龍形）にすることにより、金運（開運）を上げるというソフトも付加した印鑑を提供することを目的とする。
【課題を解決するための手段】
【０００６】  本考案は、上記問題点を解決すべく、円柱状の印鑑本体の外周に螺旋状の溝を形設すると共に、この溝に螺旋状の補助印を設けてなること。また、補助印は、回転させることにより上下動すること。さらに、補助印が、ヘビ形あるいは龍形であること。さらにまた、溝に、補助印を着脱自在に取り付けることを特徴とする。
【考案の効果】
【０００７】１）、印鑑本体の螺旋状の溝に、螺旋状の補助印を設けることにより、デザイン的にも見栄がよく、押印するときの摩り止めにもなる。
２）、補助印が、ヘビ形または龍形にすることによりデザイン的にもよく、かつ、金運や開運のソフトを付加することができる。
３）、補助印を印鑑本体の溝に着脱自在に設けることにより、色々な補助印を使用できるものである。
４）、補助印を上昇させ印鑑本体のみの押印や印鑑本体及び補助印との組み合わせの押印、さらに、補助印を下げて、補助印のみの押印が可能であり、用途や目的に合せて使用できる。
５）、補助印の取り付けを上下逆（頭を上）にすることにより、デザイン的にも色々楽しむことができる。
【図面の簡単な説明】
【０００８】
【図１】本考案の一実施例を示す印鑑の正面図。
【図２】本考案の一実施例を示す印鑑の印鑑本体の正面図。
【図３】本考案の一実施例を示す印鑑の補助印の正面図。
【図４】本考案の一実施例を示す印鑑の底面図。
【図５】本考案の一実施例を示す補助印を上方に移動させた状態の正面図。
【図６】本考案の一実施例を示す補助印の底面図。
【図７】本考案の他の実施例を示す印鑑の正面図。
【考案の実施するための形態】
【０００９】１は、印鑑である。
２は、石材やセラミックス等による円柱状の印鑑本体で、外周に螺旋状の溝２ａを形設すると共に、下面に文字等の印２ｂを形設してある。
３は、上記溝２ａに取り付ける同様に螺旋状に形成した補助印で、頭３ａ１を下方にし、ヘビ形（龍形）に形成してなり、先端下面に文字等の印３ａを形設してある。
【００１０】  上記印鑑１の使用例について説明する。
まず、必要な補助印３を印鑑本体２の溝２ａに取り付ける。
その後、必要に応じて補助印３を回転させ上方に移動させ、印鑑本体２の印２ｂに朱肉（図示せず）をつけて書類等に押印する。
つぎに、補助印３を逆回転させ下方に移動させ、印２ｂと印３ａを同時に押印することもできる。
また、補助印３をさらに回転させ下方に移動させることにより、印３ａのみを押印することができる。
【００１１】  つぎに、他の実施例を説明する。
印鑑２１は、上記と同様な印鑑本体２２に頭２３ａ１を上方にしたヘビ形の補助印２３を設けてなるものである。
【００１２】  上記各実施例において、印鑑本体及び補助印の材質は特に限定するものではなく、大きさ等も必要に応じて決めればよい。
また、印においても、文字・数字・絵等必要に応じて決めればよい。
【符号の説明】
【００１３】  １―――印鑑
２―――印鑑本体
２ａ――溝
３―――補助印
３ａ――印
【図１】
0003160186.tif 000003
【図２】
0003160186.tif 000004
【図３】
0003160186.tif 000005
【図４】
0003160186.tif 000006
【図５】
0003160186.tif 000007
【図６】
0003160186.tif 000008
【図７】
0003160186.tif 000009
(57)【要約】      （修正有）【課題】ペットが通過する際、フラップがバタンと下がり尾を挟んだり、後続するペットの頭に当ったりすることを防止するペットドアを提供する。【解決手段】ペットが通過後、フラップがゆっくり下降する様に、開閉フラップの回転支点ロータリーダンパー（回転緩衝器）を接続する。【選択図】図１
0003160187.tif 000002
【実用新案登録請求の範囲】
【請求項１】
ペットドアにおいて、開閉フラップの回転支点に、回転ダンパーを結合し開閉動作をゆるやかにすることを、特徴とするペットドア。
【考案の詳細な説明】
【技術分野】
【０００１】この考案は、ペットドア（ペット専用の開閉扉）に関する考案である。
【背景技術】
【０００２】一般に市販されているペットドアは、上部をヒンジにして、フラップをぶらさげる形式で、ペットの押す力でフラップが開き、ペットが通過すると、重力でフラップが、垂直位置に戻る方式が一般的である。
【先行技術文献】
【特許文献】
【０００３】
【特許文献１】実開平０６−００５４５６
【特許文献２】実開平０６−０５６４７４
【特許文献３】実開平０６−０８４８４５
【考案の概要】
【考案が解決しようとする課題】
【０００４】従来のペットドアのフラップは、重力スィング式の開閉機構で、ペットが通過する際、フラップが重力で垂直に戻るときに、バタンと下がり尾を挟んだり、後続するペットの頭に当ったりして、ペットにとって快適な通過状況では無い。
【課題を解決するための手段】
【０００５】ペットが通過後、フラップがゆっくり下降する様に、フラップ回転軸にロータリーダンパー（回転緩衝器）を接続する。
【考案の効果】
【０００６】ペットが通過時に、閉状態に戻るまで時間があるので（約５秒）尾を挟まない。又、尾を挟んでも、軽微な力なのでペットにダメージを与えることは無い。
これまでは、ペットはペットドアに警戒心が有ったが、それも薄らぐ効果がある。
【図面の簡単な説明】
【０００７】
【図１】枠に組み込まれた状態の全体図である。
【図２】ロータリーダンパーと、フラップの接合部。
【図３】ダンパーを。ギヤで結合した例。
【考案を実施するための形態】
【実施例】
【０００８】図１．２．３参照
通常ペットドアは、建屋内であれば、引き戸やドア或いは、隔壁の下部に角穴を空け、その角穴に埋め込む形で施工される。
従って、取り付け易いように、枠とフラップは一体構造形を成している。
現在市販されているロータリーダンパー（以下ダンパー）を使用して、コンパクトな形状にすると図１の様な形状になる。【０００９】構造
▲１▼の枠内に、▲３▼のダンパーを嵌め込み、固定する。
図３の形状は、ダンパーの出力軸にギヤ付きを使用したもので、機能は図１と変わらない。
▲２▼のフラップの上部は回転支点となる為、丸棒状で板状のフラップと接着されている。
ダンパーとフラップは、ダンパーの凸とフラップ凹で嵌め合い、更に▲４▼の支点軸を差し込むことで、ダンパーとフラップは結合する。【００１０】結果
以上によりペットの力で押し上げられたフラップは、ペット通過後に垂直に戻るとき、重力による回転トルクをダンパーで吸収し、緩やかに復元する。
【産業上の利用可能性】
【００１１】  近来のペットブームで、ペットに関する用品の需要は、拡大しており
更に、ペットに優しい用品は歓迎されると思われる。
【符号の説明】
【００１２】  ▲１▼  枠
▲２▼  フラップ
▲３▼  ロータリーダンパー
▲４▼  支点軸
▲５▼  ギヤー
【図１】
0003160187.tif 000003
【図２】
0003160187.tif 000004
【図３】
0003160187.tif 000005
(57)【要約】      （修正有）【課題】患者又は被介護人自身が、ベッドの柵に取り付け、及び収納物を出し入れすることが容易な小物入れを提供する。【解決手段】小物入れ１は、上部が開口された袋２であって、この袋２の開口縁辺部に補強部材を縫着し、袋２の背面には、上部両側に面ファスナーのフック面５、５１とループ面６、６１を設けた吊下げ小片４、４１を縫着してベッド用の小物入れ１を形成する。【選択図】図１
0003160190.tif 000002
【実用新案登録請求の範囲】
【請求項１】
小物を入れる袋の開口部の縁辺に補強部材を縫着し、袋の背面上部にフック面とループ面を有する面ファスナーを設けた吊下げ小片を縫着した、ベッド用小物入れ。
【考案の詳細な説明】
【技術分野】
【０００１】  本考案は、病院内で使用するベッドや家庭内で使用する介護用ベッドにおいて、ベッドの柵に取付けて使用する小物を収容する袋に関する。
【背景技術】
【０００２】  従来、ベッドの頭部、足部、両脇部の棚に、小物を収容する袋を取付けて使用する場合は、ベッドの柵に紐で取手付きバッグを結び付けて使用していた。【０００３】  また、複数のポケットを設けた袋状のカバーをベッドの柵に被せて使用するベッド用小物入れが提案されている（例えば、特許文献１参照）。
【先行技術文献】
【特許文献】
【０００４】
【特許文献１】登録実用新案第３０４９９３２号公報
【考案の概要】
【考案が解決しようとする課題】
【０００５】  以上に述べたベッド用小物入れでは、床に伏せた状態の患者又は被介護人自身が、小物入れに収納された小物を出し入れすることが不便かつ面倒な場合があった。また、看護師や介護人の手助けが必要であり、特に起床に機能障害を有する者には不向きであるなどの問題点があった。【０００６】  本考案は、ベッドの柵への取り付けが簡単で、収容物の出し入れが容易な小物入れの実現を目的とするものである。
【課題を解決するための手段】
【０００７】  上記目的を達成するため、本考案に係る小物入れは、上部が開口された袋であって、この袋の開口縁辺部に補強部材を縫着し、袋の背面には、上部両側に面ファスナーのフック面とループ面を設けた吊下げ小片を縫着して成る、ベッド用の小物入れである。【０００８】  上記のように構成されたベッド用小物入れは、面ファスナーのフック面を有する吊下げ小片の先端を外側に巻き込み、吊下げ小片のループ面に重ね合わせて押さえて止め、当該吊下げ小片はベッドの柵を巻き込み、小物入れをベッドの柵に吊り下げた状態で取り付けて使用することができる。
【考案の効果】
【０００９】  本考案に係るベッド用小物入れを、ベッドの柵に取付ける場合は、フック面を有する吊下げ小片の先端を外側に巻き込み、吊下げ小片のループ面に重ね合わせ押止すると、当該吊下げ小片は柵を摺動自在に巻き込み、ベッドに小物入れを吊下げられた状態に取付けて使用することができる。
【図面の簡単な説明】
【００１０】
【図１】本考案に係る物入れの背面図。
【図２】本考案に係る物入れの使用状態を示す斜視図。
【考案を実施するための形態】
【００１１】  本考案に係るベッド用小物入れの実施形態を、図面に基づいて説明する。
【００１２】  本考案に係る小物入れ１は、布地又は皮革製、あるいは透明軟質のビニール製による袋状のものであって、上部が開口された袋２である。
【００１３】  上記袋２の開口部の縁辺部には、開口部の縁辺がよれることを防ぐ補強部材３を重ね合わせ、当該補強部材３の上縁を縫着し、袋２の背面上部には、長方形の吊下げ小片４、４１の略中央部を垂直状態に配置し、その略中央部を袋２の背面に縫着し、吊下げ小片４、４１の背面先端部に面ファスナーのフック面５，５１を設け、吊下げ小片４、４１の正面後端部に面ファスナーのループ面６、６１を設ける。
【００１４】  上記吊下げ小片４、４１に設けた面ファスナーとは、フック状に起毛された面とループ状に密集して起毛された面で一組となった留め具のことであって、吊下げ小片４、４１の背面先端部にフック面を有する面ファスナーを設け、吊下げ小片４、４１の正面後端部にループ面６、６１を有する面ファスナーを設ける。
【００１５】  ベッドの柵Ａに取付ける場合は、フック面５、５１を有する吊下げ小片４、４１の先端を外側に巻き込み、吊下げ小片４、４１のループ面６、６１に重ね合わせて押さえて止め、当該吊下げ小片４、４１は、ベッドの柵Ａを摺動自在に巻き込み、小物入れをベッドの柵Ａに吊下げた状態で取付け使用することができる。
【符号の説明】
【００１６】    １  小物入れ
２  袋
３  補強部材
４  吊下げ小片
４１  吊下げ小片
５  フック面
５１  フック面
６  ループ面
６１  ループ面
Ａ  ベッドの柵
【図１】
0003160190.tif 000003
【図２】
0003160190.tif 000004
(57)【要約】【課題】  読書の際、本が閉じたりページが捲れたりすることを防ぐことができ、そして、軽くて携帯に便利であり、又、容易に本に取り付けることができ、さらに、わずらわしい操作をすることなく次々にページを捲り容易に本を読み進めることができ、しかも、大小厚薄の様々な本に対応できるページ押え具を提供することを課題とする。【解決手段】  押えバー１及び押えバー２を連絡バー５の一方側に間隔を置いて並列に設け、且つ、押えバー３及び押えバー４を連絡バー６のもう一方側に間隔を置いて並列に設け、さらに、連絡バー５の押えバー１を設けていない側の端部及び連絡バー６の押えバー４を設けていない側の端部を弾性がある筒状の繋ぎ部７に両側から差し通して繋ぐ。【選択図】図１
0003160189.tif 000002
【実用新案登録請求の範囲】
【請求項１】
押えバー１及び押えバー２を連絡バー５の一方側に間隔を置いて並列に設け、且つ、押えバー３及び押えバー４を連絡バー６のもう一方側に間隔を置いて並列に設け、さらに、連絡バー５の押えバー１を設けていない側の端部及び連絡バー６の押えバー４を設けていない側の端部を弾性がある筒状の繋ぎ部７に両側から差し通して繋ぐことを特徴とするページ押え具。
【請求項２】
前記押えバー２及び前記押えバー３に滑り止め部８を設けることを特徴とする請求項１記載のページ押え具。
【考案の詳細な説明】
【技術分野】
【０００１】  この考案は、読書の際、本が閉じたりページが捲れたりすることを防ぐことができるページ押え具の構造に関するものである。
【背景技術】
【０００２】  従来のページ押え具は、図３に示すように、クリップそのものを取り付けて利用するもので、クリップがページを強く挟むことによりページ押え具として機能する構造のものである。
【実用新案文献１】
実用新案登録第３１４２８７８号公報
【考案の開示】
【考案が解決しようとする課題】
【０００３】  しかしながら、以上の技術によれば、クリップを取り付けた重いページ押え具は、携帯に不便であり、又、クリップを取り付けた軽いページ押え具は、携帯に便利であるが、本に取り付ける時にクリップの操作に手間がかかるため不便であり、さらに、クリップがページを強く挟むため次々にページを捲りながら本を読み進める時にクリップを外したり付けたりする操作を必要とするのでわずらわしく不便である。
そこで、この考案は、軽くて携帯に便利であり、又、容易に本に取り付けることができ、さらに、本に取り付けたまま手で操作することなく次々にページを捲り容易に本を読み進めることができ、しかも、大小厚薄の様々な本に対応できるページ押え具を提供することを課題とする。
【課題を解決するための手段】
【０００４】  以上の課題を解決するために、第一考案は、押えバー１及び押えバー２を連絡バー５の一方側に間隔を置いて並列に設け、且つ、押えバー３及び押えバー４を連絡バー６のもう一方側に間隔を置いて並列に設け、さらに、連絡バー５の押えバー１を設けていない側の端部及び連絡バー６の押えバー４を設けていない側の端部を弾性がある筒状の繋ぎ部７に両側から差し通して繋ぐことを特徴とするページ押え具である。
【考案の効果】
【０００５】  第一考案によれば、連絡バー５に並列に設けた押えバー１と押えバー２の間及び連絡バー６に並列に設けた押えバー３と押えバー４の間に見開きの本の上方から左右両側の任意の複数ページを差し込むことにより取り付ける構造であり、さらに、連絡バー５の端部及び連絡バー６の端部を弾性がある筒状の繋ぎ部７に両側から差し通して繋いだ構造であるので、ページ押え具として機能することができるとともに、軽くて携帯に便利であり、又、容易に本に取り付けることができ、さらに、本に取り付けたまま手で操作することなく次々にページを捲り容易に本を読み進めることができ、しかも、大小厚薄の様々な本に対応できる。
【考案を実施するための最良の形態】
【０００６】  この考案の一実施形態を、図１又は図２に示す。
押えバー１及び押えバー２を連絡バー５の一方側に間隔を置いて並列にして垂直に設け、且つ、押えバー３及び押えバー４を連絡バー６のもう一方側に間隔を置いて並列にして垂直に設ける。さらに、連絡バー５の押えバー１を設けていない側の端部及び連絡バー６の押えバー４を設けていない側の端部を弾性がある筒状の繋ぎ部７に両側から差し通し重ね合わせて交差したり左右にずらしたりできるように繋ぐ。そして、押えバー２及び押えバー３に滑り止め部８を設ける。【０００７】「実施形態の効果」
この実施形態によれば、連絡バー５に並列に設けた押えバー１と押えバー２の間及び連絡バー６に並列に設けた押えバー３と押えバー４の間に見開きの本の上方から左右両側の任意の複数ページを差し込むことにより取り付ける構造であり、さらに、連絡バー５の端部及び連絡バー６の端部を重ね合わせて交差したり揃えたりできるように弾性がある筒状の繋ぎ部７で繋いだ構造であるので、押えバー２及び押えバー３がこの複数ページを下面から上向に押さえ、又、押えバー１及び押えバー４がこの複数ページを上面から下向に押さえることができる。したがって、本が閉じたりページが捲れたりすることを防ぐことができるとともに、軽くて携帯に便利であり、又、容易に本に取り付けることができる。さらに、本を読み進める時に、押えバー１又は押えバー４からページを抜いて捲り、そして、押えバー４又は押えバー１に差し挟むことが容易にできる。つまり、連絡バー５の端部及び連絡バー６の端部を重ね合わせて交差することができるように弾性がある筒状の繋ぎ部７で繋いでいるので、見開きの本が閉じようとする時のページのはねかえりが強いものでも、押えバー１及び押えバー４のページの押さえが強くなりすぎることなくページ押え具として機能することができる。したがって、本に取り付けたまま手で操作することなく次々にページを捲って差し挟み、無理なく本を読み進めることができる。
押えバー２及び押えバー３に滑り止め部８を設けてあるので、本が閉じようとする時のはねかえりによるページとのずれを押さえることができる。
ページ押え具を本の任意の複数ページに取り付ける構造であり、又、連絡バー５の端部及び連絡バー６の端部を重ね合わせて左右にずらすことができように繋ぐことで長さを調整することができる構造であるので、大小厚薄の様々な本に無理なく対応できる。
【図面の簡単な説明】
【０００８】
【図１】この考案の一実施形態を示した斜視図である。
【図２】この考案の一実施形態を示した斜視図である。
【図３】従来技術を示した斜視図である
【符号の説明】
【０００９】      １押えバー
２押えバー
３押えバー
４押えバー
５連絡バー
６連絡バー
７繋ぎ部
８滑り止め部
【図１】
0003160189.tif 000003
【図２】
0003160189.tif 000004
【図３】
0003160189.tif 000005
(57)【要約】      （修正有）【課題】緑化運動などのノベルティーとして利用できるカレンダー付植物栽培キットを提供する。【解決手段】箱１の側面にカレンダー２を記載し、その中に植物栽培キット４を収めたことを特徴とする。【選択図】図１
0003160185.tif 000002
【実用新案登録請求の範囲】
【請求項１】
箱（１）の側面にカレンダー（２）を記載し、その中に植物栽培キット（４）を収めたことを特徴としたカレンダー付き植物栽培キット
【考案の詳細な説明】
【技術分野】
【０００１】  この考案は、カレンダーが記載された植物栽培キットに関するものである。
【背景技術】
【０００２】  従来は、カレンダーと植物栽培キットは別々な物として存在し、必要に応じて利用されていた。
【考案の概要】
【考案が解決しようとする課題】
【０００３】  日本の多くの企業は年末にカレンダーを配布する風習があるため、必要以上にカレンダーが配られている。その結果多くのカレンダーが利用されず廃棄され資源の無駄になっている。
【課題を解決するための手段】
【０００４】  箱型（１）の側面にカレンダー（２）を記載し、その中に植物栽培キットを収めたことを特徴としたカレンダー付き植物栽培キットである。
【考案の効果】
【０００５】  配布されたカレンダーの量が多く、不必要と判断されても植物栽培として利用されることで、廃棄されず資源の無駄につながらない。
【図面の簡単な説明】
【０００６】
【図１】  本考案の斜視図である。
【図２】  本考案の断面図である。
【図３】  本考案の使用状態を示す斜視図である。
【図４】  本考案の他の実施例を示す斜視図である。
【考案を実施するための形態】
【０００７】
【実施例】
【０００８】
【産業上の利用可能性】
【０００９】  緑化運動や環境保護の意識高揚としてのノベルティーとして利用できる。
【符号の説明】
【００１０】  １  箱
２  カレンダー
３  広告欄
４  植物栽培キット
５  植木鉢
６  土
７  植物種
８  植物
【図１】
0003160185.tif 000003
【図２】
0003160185.tif 000004
【図３】
0003160185.tif 000005
【図４】
0003160185.tif 000006
(57)【要約】      （修正有）【課題】紙などを簡単に挟み込むことができるゼムクリップを提供する。【解決手段】ゼムクリップの内径カーブ部分の挟み込み口を斜め上方へ折り曲げる。【選択図】図１
0003160191.tif 000002
【実用新案登録請求の範囲】
【請求項１】
ゼムクリップの挟み込み口の内径カーブ部分を斜め上方に折れ曲がっていることを特徴とするゼムクリップ。
【考案の詳細な説明】
【技術分野】
【０００１】  本考案は、紙などを挟むためのゼムクリップに関する。
【背景技術】
【０００２】  従来のゼムクリップは、ワイヤー状の鋼材を楕円状に巻いた形状をしており、挟み込み口の外径カーブ部分と内径カーブ部分が平行で平らにできている。
【考案の概要】
【考案が解決しようとする課題】
【０００３】  従来のゼムクリップは挟み込み口の外径カーブ部分と内径カーブ部分が平行で平らにできているため、厚みのない薄い紙の束などは柔らかく、ゼムクリップを差し込んで挟み込もうとしても、挟み込むものがゼムクリップの差し込み口の堅さに負けてしまい、差し込み口が開きにくく差し込みにくかった。
【課題を解決するための手段】
【０００４】  本考案は、ゼムクリップの挟み込み口の内径カーブ部分の先端を、斜め上方に折り曲げて外径カーブ部分と段差をつけた。それにより、紙などを挟み込むとき、ゼムクリップの内径カーブ部分に挟み込むものをひっかけて挟み込み口へ誘導し、ゼムクリップの外径カーブ部分と内径カーブ部分の間に、簡単に差し込む作業ができることを目的とするものである。
【考案の効果】
【０００５】  上述したように本考案のゼムクリップは、厚みのない薄い紙の束など厚さに関係なく、挟み込み口の段差が、挟み込むものを誘導するため、簡単にゼムクリップで挟み込むことができるものである。
【図面の簡単な説明】
【０００６】
【図１】本考案の段差つきゼムクリップの形態を示す斜め上方向から見た図である。
【図２】本考案の段差つきゼムクリップの形態を示す側面図である。
【図３】本考案の段差付きゼムクリップに紙を挟んだ状態の正面図である。
【図４】本考案の段差付きゼムクリップに紙を挟んだ状態の側面図である。
【図１】
0003160191.tif 000003
【図２】
0003160191.tif 000004
【図３】
0003160191.tif 000005
【図４】
0003160191.tif 000006
(57)【要約】      （修正有）【課題】包装を開いた際の棒状ご飯塊への海苔の巻き付けが容易に行える包装材を提供する。【解決手段】２枚のシート３、５間に海苔シートが装着されるとともに、その内側面に配置される棒状ご飯塊に巻き付け包装使用され、その包装の開き状態においてシート３、５間から露出する海苔シート上に棒状ご飯塊が移動されてその周囲に海苔シートＮが巻き付けられるように用いられる。棒状ご飯塊の移動案内表示１２が包装の開き状態において目視可能に設けられる。【選択図】図１
0003160195.tif 000002
【実用新案登録請求の範囲】
【請求項１】
２枚のシート間に海苔シートが装着されるとともに、その内側面に配置される棒状ご飯塊に巻き付け包装使用され、その包装の開き状態において前記シート間から露出する前記海苔シート上に前記棒状ご飯塊が移動されてその周囲に前記海苔シートが巻き付けられるように用いられる棒状海苔巻きご飯の包装材において、
前記棒状ご飯塊の移動案内表示が、前記包装の開き状態において目視可能に設けられてなることを特徴とする棒状海苔巻きご飯の包装材。
【請求項２】
前記棒状ご飯塊を包み状態とする透明の包みシートが前記内側面上に配置され、前記移動案内表示が前記内側面の前記包みシートに覆われる位置に付されてなる請求項１記載の棒状海苔巻きご飯の包装材。
【考案の詳細な説明】
【技術分野】
【０００１】  この考案は、棒状海苔巻きご飯の包装材に関する。
【背景技術】
【０００２】  最近では、おにぎりにくわえて巻き寿司形態等の棒状の海苔巻きご飯もコンビニエンスストア等で販売されている。このものは２層の包装シートを開いた状態において、具材が埋設された棒状のご飯塊に包装シート間に挟まれて収納されている海苔を巻き付けることで食される。
【考案の概要】
【考案が解決しようとする課題】
【０００３】  上記の包装シートを開き海苔を取り出しご飯塊に巻き付ける作業手順は包装シート表面に表示されているものの、その作業は結構煩雑で難しくて高齢者や子供には困難であった。【０００４】  この考案では、包装を開いた際の棒状ご飯塊への海苔の巻き付けが容易になされる包装材を提供することを目的とする。【０００５】  この考案では、２枚のシート間に海苔シートが装着されるとともに、その内側面に配置される棒状ご飯塊に巻き付け包装使用され、その包装の開き状態において前記シート間から露出する前記海苔シート上に前記棒状ご飯塊が移動されてその周囲に前記海苔シートが巻き付けられるように用いられる棒状海苔巻きご飯の包装材において、前記棒状ご飯塊の移動案内表示が、前記包装の開き状態において目視可能に設けられてなることを特徴とする棒状海苔巻きご飯の包装材を提供する。【０００６】  上記構成によれば、開いた状態において移動案内表示が見られることで、棒状のご飯塊を海苔シート上に迷うことなく移動でき、これにより海苔シートの巻き付け作業が容易になされる。棒状ご飯塊を包み状態とする透明の包みシートが内側面上に配置され、移動案内表示が内側面の包みシートに覆われる位置に付されてなるようにすることで、移動案内表示の印刷インク等が海苔シートや棒状ご飯塊に直接触れることがない
【考案の効果】
【０００７】  この考案によれば、包装を開いた際の棒状ご飯塊への海苔の巻き付けが容易に行え、これにより、高齢者や子供等も包装形態の棒状の海苔巻きご飯を広く食すことができるようになる。
【図面の簡単な説明】
【０００８】
【図１】  この考案の包装材の実施形態の開いた状態の内面図
【図２】  この考案の包装材の実施形態の開いた状態の断面図
【図３】  この考案の包装材の実施形態の包装時の使用説明斜視図
【図４】  この考案の包装材の実施形態の開き時の使用説明斜視図
【考案を実施するための最良の形態】
【０００９】  図１はこの考案の棒状海苔巻きご飯の包装材の開き状態の内面図、図２は同断面図である。【００１０】  棒状海苔巻きご飯の包装材１は、透明のプラスチック製内側シート３と、内側シート３に重ねて配置される透明プラスチック製の外側シート５と、内側シートの表面上部側に付設される上部が巾広となった透明のプラスチック製包みシート７と、外側シート５の内側シート３の下端より下方に突出する部分の内面に付設され、かつ、内側シート３の下端近傍部分を覆うカバーシート９とからなる。【００１１】  内側シート３と外側シート５とはその上縁及び両縁とが互いに固着されることでその全体が下部の開く袋形態となり、その内部を海苔シートの収納スペース８としている。包みシート７は上縁が内側シート３に固着され、カバーシート９は下縁が外側シート５に固着されている。外側シート５の外側の下端部近傍には開封用のガイドテープ１０が付されている。内側シート３表面中央の包みシート７に覆われる位置には印刷により矢印を一体とする棒状ご飯塊の移動案内表示１２が付されている。【００１２】  包装材１は収納スペース８に海苔シートが納められた状態において、適宜の具が付され包みシート７上に配置された棒状のご飯塊に巻き付けられて包装に用いられる。図３はその包装状態を示し、シール１３によりその包装状態が保たれている。ガイドテープ１０を持って外側シート５を切り離すことでシール１３も引き裂かれ、さらに、包みシート７が開かれることで包装材１は、図４に示すように、開き状態となる。【００１３】  この開き状態においては外側シート５の下部が切り離されて離脱していることでそれに一体のカバーシート９も離脱しており、これにより、海苔シートＮがその部分において露出する状態となる。この露出する海苔シートＮ上に移動案内表示１２に沿って棒状のご飯塊Ｒがころがし移動され、海苔シートＮによって巻かれて棒状海苔巻きご飯が得られる。【００１４】  上記のように包装を開いた状態において移動案内表示１２が見られることで、棒状のご飯塊Ｒを海苔シートＮ上に迷うことなく移動でき、これにより海苔シートＮの巻き付け作業が容易になされる。移動案内表示１２が内側シート３面の包みシート７に覆われる位置に付されていることで、その印刷インクが海苔シートＮや棒状ご飯塊Ｒに直接触れることがない衛生的な構成となっている。
【符号の説明】
【００１５】１    包装材
３    内側シート（シート）
５    外側シート（シート）
１２  移動案内表示
Ｎ    海苔シート
Ｒ    棒状ご飯塊
【図１】
0003160195.tif 000003
【図２】
0003160195.tif 000004
【図３】
0003160195.tif 000005
【図４】
0003160195.tif 000006
(57)【要約】      （修正有）【課題】パチンコ台の機種の如何にかかわらず使用できる、プラスチック板と弾性物質板からなるパチンコ台の玉発射用ハンドルの可動部分を固定する固定具を提供する。【解決手段】プラスチック板部分１と弾性物質板部分２、からなるパチンコ台の玉発射用ハンドルの可動部分の固定具であって、大きさの異なる半円形を上下に２個重ねた形状の上下方向中央位置の左右いずれかの横方向に突起部分３を設けており、プラスチック板の上部分に弾性物質板を固定するように貼り付けることにより、各機種のパチンコ台の玉発射用ハンドルの可動部分の隙間に容易に挿入でき、パチンコ台の損傷も無くすことができる固定具を形成する。【選択図】図１
0003160193.tif 000002
【実用新案登録請求の範囲】
【請求項１】
プラスチック板と弾性物質板からなるパチンコ台の玉発射用のハンドル固定具であって前記プラスチック板は、大きさの異なる半円形を上下に２個重ねた形状の上下方向中央位置の左右いずれかの横方向に突起部分が設けられており、このプラスチック板の上部分に弾性物質板が固定されるように貼り付けることが特徴とする、パチンコ台の玉発射用ハンドルの固定具。
【考案の詳細な説明】
【技術分野】
【０００１】  本考案は、プラスチック板と弾性物質板からなるパチンコ台の玉発射用ハンドルの可動部分を固定する固定具。
【背景技術】
【０００２】  パチンコ台の玉発射用ハンドルの可動部分を固定するためにコインや様々な代用品をパチンコ台の玉発射用ハンドルの可動部分の隙間に挟むことが多く見受けられる。
【考案の概要】
【考案が解決しょうとする課題】
【０００３】  従来は、パチンコ台の玉発射用ハンドルの可動部分を固定するためにコインや様々な代用品を固定具とし、使用してきましたが最近の新機種は、パチンコ台の玉発射用ハンドルの可動部分の隙間の幅が様々で、挟み難く、滑り抜け落ち、パチンコ台を損傷させるのが欠点。
【課題を解決するための手段】
【０００４】  本考案は、プラスチック板部分と弾性物質板部分、からなるパチンコ台の玉発射用ハンドルの可動部分の固定具であって、大きさの異なる半円形を上下に２個重ねた形状の上下方向中央位置の左右いずれかの横方向に突起部分を設けており、プラスチック板の上部分に弾性物質板を固定するように貼り付けることにより、新機種および各機種のパチンコ台の玉発射用ハンドルの可動部分の隙間に容易に挿入でき、パチンコ台の損傷も無くすことができることにより、上記課題を解決するものである。
【考案の効果】
【０００５】  本考案に係る、パチンコ台の玉発射用ハンドルの可動部分の固定具として、プラスチック板の硬質性、弾性物質の柔軟性、突起の鋭角の性質および形状を利用する事で一種類のハンドル固定具で、新機種および多機種に適応できる、従来までのパチンコ台の玉発射用ハンドルの可動部分の固定具に比べ無理が無く、多種類の固定具を必要としない、優れたパチンコ台の玉発射用ハンドルの可動部分の固定具。
【図面の簡単な説明】
【０００６】
【図１】  本考案に係るパチンコ台の玉発射用ハンドルの可動部分の固定具の正面図である。
【図２】  本考案に係るパチンコ台の玉発射用ハンドルの可動部分の固定具の縦面図である。
【図３】  本考案に係るパチンコ台の玉発射用ハンドルの可動部分の固定具の横面図である。
【図４】  本考案に係るパチンコ台の玉発射用ハンドルの可動部分の隙間の図面である。
【図５】  本考案に係るパチンコ台の玉発射用ハンドルの可動部分に固定具が挿入された図面である。
【符号の説明】
【０００７】  １・・・プラスチック板部分。
２・・・プラスチック板の上に固定するように貼り付けた弾性物質板部分。
３・・・プラスチック板の突起部分。
４、５、６・・・パチンコ台の玉発射用ハンドルの可動部分の隙間に挿入する箇所の部分。
７、８、９・・・図４のパチンコ台の発射用ハンドルの可動部の隙間の箇所の部分。
【考案を実施するための形態】
【０００８】  図１、図２に示すように大きさが異なる半円形を上下に２個重ねた形状の上下方向中央位置の左右いずれかの横方向に３の突起を設けた、パチンコ台の玉発射用ハンドルの可動部分の固定具、本体のプラスチック板。
【０００９】  図１が示す２の部分に弾性物質板を固定するように貼り付ける。
【０００１０】  図２に示す４、５、図３に示す６の部分より挿入し、図４に示すようにパチンコ台の発射用ハンドル部分７、８、９の隙間に図１に示す１、２、３部分を活用する事により容易にパチンコ台の玉発射用ハンドルの可動部分を固定することでき、ハンドルを回す必要が無く手を添えるだけで玉を発射でき、手の疲労を軽減できる。
【図１】
0003160193.tif 000003
【図２】
0003160193.tif 000004
【図３】
0003160193.tif 000005
【図４】
0003160193.tif 000006
【図５】
0003160193.tif 000007
(57)【要約】      （修正有）【課題】価格を安くし、使用方法を簡単にするため、複雑な装置を使わず車椅子から便座に無理なく移動できる介護用器具を提供する。【解決手段】従来の車椅子では折り畳み部分が便器に当たってトイレの奥まで入れないので、折り畳み部分をはずし、車椅子の左右を直接のバーと曲線のバーで固定して強度を確保し、腰掛け式便器の真上まで入れるようにする。又、車椅子の座面を車椅子本体と蝶番で接合して、上下に開閉できるようにし、車椅子から便器へ、便器から車椅子への移動が無理なくできる。【選択図】図２
0003160192.tif 000002
【実用新案登録請求の範囲】
【請求項１】
車椅子の座席下部に腰掛け式便器を取り込む空間をもち、かつ座面を背もたれ方向に開く事で、直接便座に座る事が出来る車椅子。
【考案の詳細な説明】
【技術分野】
【０００１】    本考案は、車椅子で腰掛け式便座の真上まで入り、車椅子の座面を背もたれ方向に開く事で直接便座に移動できる介護用器具に関するものである。
【背景技術】
【０００２】    従来の介護用車椅子では腰掛け式便器と車椅子の座面が密着しておらず尿が飛び散る問題や車椅子の操作が複雑で、しかも高価なものもある。
【先行技術文献】
【特許文献】
【０００３】    特開平  １１−３１８９９０
【考案の概要】
【考案が解決しようとする課題】
【０００４】    価格を安くするためや、使用方法を簡単にするため、複雑な装置を使わず車椅子から便座にむりなく移動できる装置を考案する。
【課題を解決する手段】
【０００５】    便座にぶつからないようにするため、車椅子の折り畳み部分を外し直線のバーと曲線のバーで車椅子の左右を固定して腰掛け式便座の真上まで入れるようにし、車椅子の座面を蝶番で開閉できるようにする事で、車椅子から便座にむりなく移動できるよう、考案した。
【考案の効果】
【０００６】    入院患者や要介護者の中で歩いてトイレに行く事ができず、しかたなくベットの周辺で排泄をしている人たちがトイレ専用車椅子を使ってトイレに行くことができるようになる事で精神的な負担が軽くなることや、介護する人の労力や時間を軽減する効果があると予想される。
【考案を実施するための形態】
【０００７】    要介護者をベットからトイレ専用車椅子に乗せてトイレに行き、腰掛け式便座の真上までうしろむきで入り、車椅子のブレーキをかける。要介護者に中腰ぐらいまで立ち上がってもらい、車椅子の座面を背もたれにくっつけるように開くと便器が現れ、直接便座に移動する事ができる。
排泄が終わったら、要介護者に中腰ぐらいまで立ち上がってもらい、車椅子の座面を背もたれの所から閉じるように下げて、もとの位置に戻し、要介護者を車椅子の座面に移動させてからトイレを出て、ベットに戻る。
【図面の簡単な説明】
【０００８】
【図１】本考案の前斜視図
【図２】本考案の座面の開放図
【図３】本考案の要部拡大図
【符号の説明】
【０００９】（１）車椅子の本体、（２）座面、（３）背もたれ、（４）横ずれ防止板、（５）ショイントパイプ、（６）とめ具、（７）蝶番、
【図１】
0003160192.tif 000003
【図２】
0003160192.tif 000004
【図３】
0003160192.tif 000005
(57)【要約】      （修正有）【課題】ずれ落ちることの無いカバーを有し、カバー上端にゴミが溜まらない構造の作業用ズボン及び上着を提供する。【解決手段】ズボン１及び裾カバー５の使用時においては、ズボン１と長靴６を履き、ズボン下布３を長靴６の中に入れ、裾カバー５を装着する。裾カバー５の内面に縫合した面ファスナー４と、ズボン下布３の外面に縫合した面ファスナー４を係着し、ズボン上布２を裾カバー５の上に被せて使用する。すなわち、ズボンを構成する本体布を膝下付近で上布と下布に分離し、下布の上端より僅かに下の外面に面ファスナー４を縫合し、その面ファスナー４が隠れる程度下布に被るように重ねた上布と下布上端を縫合したズボン１と、裾カバー５上端よりわずかに下の内面に面ファスナー４を縫合した裾カバー５とを組み合わせることにより目的を達成する。【選択図】図４
0003160198.tif 000002
【実用新案登録請求の範囲】
【請求項１】
ズボン本体の裾部分の内周に、その上端周縁をズボンの開口部より上方で裾部分の裏地に縫合された筒状の内裾を有し、前記内裾の上部外面には面ファスナーが逢着され、該面ファスナーと脱着自在な面ファスナーが上部内面に逢着された筒状カバーを備えることを特徴とする作業用ズボン。
【請求項２】
前記筒状カバーが、足首に係止するために上下両端部に弾性部材を有し、下端部には足裏に係止される弾性部材を有することを特徴とする請求項１に記載の作業用ズボン。
【請求項３】
上着本体の袖口部分の内周に、その上端周縁を上着の開口部より上方で袖口部分の裏地に縫合された筒状の内袖を有し、前記内袖の上部外面には面ファスナーが逢着され、該面ファスナーと脱着自在な面ファスナーが上部内面に逢着された筒状カバーを備えることを特徴とする作業用上着。
【考案の詳細な説明】
【技術分野】
【０００１】  本考案は、特に作業に使用する端部構造に特徴のあるズボン及び上着に関するものである。
【背景技術】
【０００２】  従来、農工業分野における種々の作業時は、長靴の中にゴミが入らないようにズボンの上から裾カバーを使用する場合が多い。しかし、作業中に裾カバー上端のゴムが緩んでカバーがずれ落ちたときは、ゴムを広げて元の位置まで戻さなければならない。また、その際に、カバー上端のゴムにより形成された凹み部分に溜まったゴミが、長靴の中に入ってしまうという問題を引き起こす。また、長期間使用したカバーでは、ゴム自体が伸びてずれ落ちやすくなり、歩き辛く、何度も元の位置に戻すために手間と時間が必要である。これらの問題に対して、特許文献１〜３の技術が開示されている。
【先行技術文献】
【特許文献】
【０００３】
【特許文献１】特開２００６−２９１３８１号公報
【特許文献２】特開２００６−２９９４５１号公報
【特許文献３】実用新案登録第３０８８１０２号公報
【考案の概要】
【考案が解決しようとする課題】
【０００４】  しかし、上記の技術では、ゴミが長靴の中に入ってしまうなどの問題を解決できない。また、作業用上着にも同様の問題がある。そこで、本考案では、ずれ落ちることの無いカバーとカバー上端にゴミが溜まらない作業用ズボン及び上着を提供することを目的とする。
【課題を解決するための手段】
【０００５】  課題を解決するための第１の手段は、作業用ズボンであって、ズボン本体の裾部分の内周に、その上端周縁をズボンの開口部より上方で裾部分の裏地に縫合された筒状の内裾を有し、前記内裾の上部外面には面ファスナーが逢着され、該面ファスナーと脱着自在な面ファスナーが上部内面に逢着された筒状カバーを備えることを特徴とする。【０００６】  第２の手段は、作業用ズボンであって、第１の手段の作業用ズボンであって、前記筒状カバーが、足首に係止するために上下両端部に弾性部材を有し、下端部には足裏に係止される弾性部材を有することを特徴とする。【０００７】  第３の手段は、作業用上着であって、上着本体の袖口部分の内周に、その上端周縁を上着の開口部より上方で袖口部分の裏地に縫合された筒状の内袖を有し、前記内袖の上部外面には面ファスナーが逢着され、該面ファスナーと脱着自在な面ファスナーが上部内面に逢着された筒状カバーを備えることを特徴とする。
【考案の効果】
【０００８】  本考案により、ズボン下布の外面に縫合した面ファスナーと、裾カバー内面に縫合した面ファスナーが互いに係着し、作業中裾カバーがずれ落ちることが無い。また、裾カバー上端をズボン上布が覆うため、裾カバー上端にゴミが溜まらないという顕著な効果を有する。また、上着についても同様である。
【図面の簡単な説明】
【０００９】
【図１】ズボンの正面図である。
【図２】ズボン上布をめくり上げた拡大正面図である。
【図３】裾カバーの斜視図である。
【図４】ズボン及び裾カバー使用時の側面図である。
【考案を実施するための形態】
【００１０】  以下、図面を参照して作業用ズボンにおける本考案について説明する。
【００１１】  図１は、ズボン１の正面図であり、ズボン本体布は膝下付近でズボン上布２とズボン下布３に分離している。ズボン上布２の下端は開放状態で、ズボン下布３上端はズボン上布２の内側に重ねて縫合してある。
【００１２】  図２は、図１に示したズボン上布２の重なり部分をめくり上げて拡大した図である。ズボン下布３の上端より僅かに下の外面に面ファスナー４が縫合されている。この面ファスナー４はズボン上布２を重ねると隠れる。
【００１３】  図３は、裾カバー５の斜視図である。裾カバー５の上端より僅かに下の内面に面ファスナー４が縫合されている。同図（ａ）は外観図、（ｂ）は上部を外側に捲った図である。
【００１４】  図４は、本考案に係るズボン１及び裾カバー５の使用時の側面図を示す。ズボン１と長靴６を履き、ズボン下布３を長靴６の中に入れ、裾カバー５を装着する。裾カバー５の内面に縫合した面ファスナー４と、ズボン下布３の外面に縫合した面ファスナー４を係着し、ズボン上布２を裾カバー５の上に被せて使用する。
【００１５】  上述のように、ズボンを構成する本体布を膝下付近で上布と下布に分離し、下布の上端より僅かに下の外面に面ファスナーを縫合し、その面ファスナーが隠れる程度下布に被るように重ねた上布と下布上端を縫合したズボンと、裾カバー上端よりわずかに下の内面に面ファスナーを縫合した裾カバーとを組み合わせて使用することにより目的を達成するものである。その組み合わせた使用とは、ズボン下布下端を長靴の中に入れ、長靴の外側から裾カバーを装着し、ズボン下布外面に縫合した面ファスナーと裾カバー内面に縫合した面ファスナーを係着し、ズボン上布下端を裾カバーの上に被せた状態である。なお、本考案は、作業用の上着にも適用することができる。
【符号の説明】
【００１６】１  ズボン
２  ズボン上布
３  ズボン下布
４  面ファスナー
５  裾カバー
６  長靴
【図１】
0003160198.tif 000003
【図２】
0003160198.tif 000004
【図３】
0003160198.tif 000005
【図４】
0003160198.tif 000006